(57)【要約】【課題】簡単な構造を有し、縦置き横置きにかかわらず光ディスクの搬入／搬出動作を安定して行うことができる光ディスク装置を提供する。【解決手段】カバーシャーシ４と、カバーシャーシ４に摺動可能に配置され、光ディスクＤｓの搬送に合わせて移動するディスクストッパ４１とを備え、ディスクストッパ４１の摺動面と接触し、ディスクストッパ４１を支持する凸条４５を備えている。【選択図】図２
2010225217.tif 000002
【特許請求の範囲】
【請求項１】
メインシャーシの上面を覆うカバーシャーシと、
前記カバーシャーシに摺動可能に配置され、光ディスクの搬送に合わせて移動するディスクストッパとを備え、前記光ディスクに光を照射して情報の記録または再生を行う光ディスク装置であって、
前記カバーシャーシは前記ディスクストッパの摺動面と接触し、前記ディスクストッパを支持する凸条を備えていることを特徴とする光ディスク装置。
【請求項２】
前記凸条は少なくとも２個並んで形成された突出部である請求項１に記載の光ディスク装置。
【請求項３】
前記凸条は前記ディスクストッパと接触する平面部を備えている請求項１または請求項２に記載の光ディスク装置。
【請求項４】
前記凸条は前記ディスクストッパと接触する部分の少なくとも一部が曲面である請求項１から請求項３のいずれかに記載の光ディスク装置。
【請求項５】
前記凸条は前記ディスクストッパと接触する部分の少なくとも一部がエッジ状に形成されている請求項１から請求項４のいずれかに記載の光ディスク装置。
【請求項６】
前記凸条は前記カバーシャーシからの突出量が部分的に変化するように形成されている請求項１から請求項５のいずれかに記載の光ディスク装置。
【請求項７】
前記凸条は少なくとも一方の端部の突出量が中間部の突出量に比べて大きい請求項６に記載の光ディスク装置。
【発明の詳細な説明】
【技術分野】
【０００１】
本発明は光ディスクに光を照射することで情報を記録／再生することができる光ディスク装置に関するものである。
【背景技術】
【０００２】
ＣＤ（Ｃｏｍｐａｃｔ Ｄｉｓｃ）、ＤＶＤ（Ｄｉｇｉｔａｌ Ｖｅｒｓａｔｉｌｅ Ｄｉｓｃ）、ＢＤ（Ｂｌｕ−Ｒａｙ Ｄｉｓｃ）等の光ディスクを記録媒体として用いる光ディスク装置では、光ピックアップより出射されたレーザ光を光ディスクの記録面に集光させて照射することでデータの記録を行い、及び（又は）前記記録面に照射され反射してきたレーザ光を検出して情報の再生を行っている。
【０００３】
従来の光ディスク装置として、前記光ディスクをそのまま搬入するスロットインタイプのものがある。従来の光ディスク装置について図面を参照して説明する。図７は従来の光ディスク装置の概略図であり、図８は図７の光ディスク装置に用いられるカバーシャーシの概略図である。図７に示すように、光ディスク装置は、メインシャーシ９１と、メインシャーシ９１に昇降自在に配置された昇降シャーシ９２と、メインシャーシ９１の上部にメインシャーシ９１を覆うように設けられたカバーシャーシ９３とを備えている。
【０００４】
メインシャーシ９１は、樹脂の一体成型体であり、平面視長方形状の函体である。メインシャーシ９１には、光ディスクＤｓが搬入される開口が形成されている。メインシャーシ９１内部の開口の近傍には光ディスクＤｓを搬送するための搬送ローラ９１１が備えられている。
【０００５】
昇降シャーシ９２は光ディスクの搬入方向の奥側をメインシャーシ９１に旋回可能に支持されている。昇降シャーシ９２は旋回することで搬入されている光ディスクに対して上昇又は下降する。昇降シャーシ９２は光ディスクＤｓが所定の位置に搬入されてきたときに光ディスクＤｓに対して上昇し、光ディスクＤｓが搬出されるときに下降する。昇降シャーシ９２には、光ディスクＤｓを記録面側から保持し、回転駆動するディスク駆動機構９４と、光ディスクＤｓに記録または再生用の光を照射する光ピックアップ９５とを備えている。
【０００６】
カバーシャーシ９３は樹脂の一体成型で形成されるものであり、メインシャーシ９１の辺縁部より立設されたリブの上部に配置される。カバーシャーシ９３には、ディスク駆動機構９４で持ち上げられた光ディスクＤｓのラベル面側と当接するクランパ９３１が備えられている。カバーシャーシ９３はメインシャーシ９１の正面側の両角部及び背面側をねじで固定されている。
【０００７】
カバーシャーシ９３には搬入された光ディスクＤｓによって押されるまたは搬出される光ディスクＤｓを押すディスクストッパ９６と、カバーシャーシ９３に回動可能に支持されディスクストッパ９６と連結されたディスクアーム９７とが設けられている。カバーシャーシ９３にはディスクストッパ９６をガイドするガイド孔９３２が形成されている。
【０００８】
ディスクアーム９７はカバーシャーシ９３に回動可能に支持されており、光ディスクＤｓが搬入されてきたときは、ディスクストッパ９６の移動によって回動され、光ディスクが搬出されるときは、ディスクアーム９７の回動によってディスクストッパ９６を移動させ光ディスクＤｓを押す（たとえば、特開２００７−５８９０７号公報、特開２００６−１９０４０７号公報等参照）。
【０００９】
従来の光ディスク装置ではディスクストッパ９６とカバーシャーシ９３との間に隙間が形成されており、ディスクストッパ９６が摺動するときのカバーシャーシ９３との間に摩擦力が発生すのを抑えていた。近年、光ディスクＤｓを立てた状態で搬入することができる縦設置可能な光ディスク装置も出てきている。このような縦設置可能な光ディスク装置において、ディスクストッパ９６とカバーシャーシ９３との間に隙間があると、ディスクストッパ９６が傾いたりずれたりしてしまい、ディスクストッパ９６が光ディスクＤｓ或いは光ディスク装置の他の部分と接触したり、動作が不安定になったりする不具合が発生する。
【００１０】
そこで、縦型設置可能な光ディスク装置ではディスクストッパ９６とカバーシャーシ９３との間の隙間をなくし或いは非常に小さくしたものが用いられている。この光ディスク装置ではディスクストッパ９６が停止中、摺動中にかかわらず広い面で接触するように形成されており、ディスクストッパ９６の傾きは発生しにくい。さらに、ディスクストッパ９６とカバーシャーシ９３との摩擦力が大きくなるのを低減するために、ディスクストッパ９６のカバーシャーシ９３と接触する面より突出する摺動突起を備え、ディスクストッパ９６の摺動時、摺動突起とカバーシャーシ９３とが接触する光ディスク装置も出てきている。
【先行技術文献】
【特許文献】
【００１１】
【特許文献１】特開２００７−５８９０７号公報
【特許文献２】特開２００６−１９０４０７号公報
【発明の概要】
【発明が解決しようとする課題】
【００１２】
ディスクストッパ９６は光ディスクＤｓの搬入／搬出のときに、光ディスクＤｓと連動して移動するものであり、光ディスクＤｓの移動にあわせて、精度良く移動することが好ましい。ディスクストッパ９６が精度良く移動するためには、ディスクストッパ９６とカバーシャーシ９３との摩擦力が少なく、しかも一定であることが好ましい。そのために、カバーシャーシ９３のディスクストッパ９６が接触する面を、平坦に形成する必要がある。
【００１３】
しかしながら、カバーシャーシ９３は樹脂の一体成型体であるとともに、ディスクストッパ９６が摺動するときの接触面が大きく、接触面を平坦に形成するためには、高精度な加工装置及び高度な加工技術が必要であり、製造にかかる手間と、コストが高くなってしてしまう。
【００１４】
そこで本発明は、簡単な構造を有し、縦置き横置きにかかわらず光ディスクの搬入／搬出動作を安定して行うことができる光ディスク装置を提供することを目的とする。
【課題を解決するための手段】
【００１５】
上記目的を達成するために本発明は、メインシャーシの上面を覆うカバーシャーシと、前記カバーシャーシに摺動可能に配置され、光ディスクの搬送に合わせて移動するディスクストッパとを備え、前記光ディスクに光を照射して情報の記録または再生を行う光ディスク装置であって、前記カバーシャーシは前記ディスクストッパの摺動面と接触し、前記ディスクストッパを支持する凸条を備えている。
【００１６】
この構成によると、前記ディスクストッパの摺動面が前記凸条と接触しているので、前記カバーシャーシの前記ディスクストッパの摺動面が接触する摺擦部（摺擦面）が前記凸条だけになる。そして、摺擦部の面積を小さくすることができ、それだけ、寸法精度（平面度）を高めるのが容易になる。
【００１７】
これにより、簡単な構造を有するとともに、光ディスクの搬入／搬出を安定して行うことが可能である。
【００１８】
上記構成において、前記凸条は少なくとも２個並んで形成された突出部であってもよい。この構成によると、２個の凸条が並んで形成されているので、凸条によって前記カバーシャーシが曲げに強い形状になる。これにより、前記摺擦部（摺擦面）の平面度が安定するので、光ディスクの搬入／搬出を安定して行うことが可能である。
【００１９】
上記構成において、前記凸条として、前記ディスクストッパと接触する平面部を備えているもの、ディスクストッパと接触する部分の少なくとも一部が曲面であるもの、前記ディスクストッパと接触する部分の少なくとも一部がエッジ状に形成されているものを挙げることができる。
【００２０】
上記構成において、前記凸条は前記カバーシャーシからの突出量が部分的に変化するように形成されていてもよい。この凸条の例として、少なくとも一方の端部の突出量が中間部の突出量に比べて大きいものを挙げることができる。
【００２１】
前記凸条の突出量を変更することで、前記ディスクストッパが前記凸条より受ける摩擦力が変化する。たとえば、突出量が大きいところでは摩擦力が大きく、小さいところでは摩擦力が小さくなる。なお、光ディスク装置の場合、前記ディスクストッパは凸条の端部にあるとき待機状態であり、中間部にあるとき摺動状態であるので、端部の突出量が中間部の突出量より大きくなるように形成することで、前記ディスクストッパは静止した状態で待機し、摩擦の少ない状態で摺動することが可能である。これにより、光ディスクの搬入／搬出を安定して行うことが可能である。
【発明の効果】
【００２２】
本発明によると、簡単な構造を有し、縦置き横置きにかかわらず光ディスクの搬入／搬出動作を安定して行うことができる光ディスク装置を提供することができる。
【図面の簡単な説明】
【００２３】
【図１】本発明にかかる光ディスク装置の概略配置図である。
【図２】図１に示す光ディスク装置に用いられているカバーシャーシの底面図である。
【図３】図２に示すカバーシャーシをIII−III線で切断した断面図である。
【図４】本発明にかかる光ディスク装置に用いられるカバーシャーシの他の例を図３と同じ線で切断した断面図である。
【図５】本発明にかかる光ディスク装置に用いられるカバーシャーシの底面図である。
【図６】図５に示すカバーシャーシをVI−VI線で切断した断面図である。
【図７】従来の光ディスク装置の概略図である。
【図８】図７の光ディスク装置に用いられるカバーシャーシの概略図である。
【発明を実施するための形態】
【００２４】
以下に本発明の実施形態を図面を参照して説明する。図１は本発明にかかる光ディスク装置の概略配置図である。なお、図１に示すように、光ディスクの搬入方向を前後方向とし、光ディスク装置の光ディスクが搬入される方向を背面方向（Ｂ方向）あるいは背面側（Ｂ側）とし、光ディスクが搬出される方向を正面方向（Ｆ方向）あるいは正面側（Ｆ側）とする。以下、特に記述しない限り、この表現を用いる。
【００２５】
図１に示すように、光ディスク装置Ａは、メインシャーシ１と、メインシャーシ１に昇降可能に取り付けられた昇降シャーシ２と、メインシャーシ１の前側に配置され、光ディスクＤｓをメインシャーシ１側に押すフラップ部３と、メインシャーシ１及びフラップ部３の上部に取り付けられたカバーシャーシ４とを備えている。
【００２６】
メインシャーシ１は辺縁部に形成されたリブ１１と、リブ１１のメインシャーシの角部にリブ１１と一体形成されたねじ止め用のねじ止めリブ１２と、前側Ｆに形成され光ディスクＤｓを入出させる開口部１３と、開口部１３の内部側に配置され、光ディスクＤｓを搬送する搬送ローラ１４とを備えている。
【００２７】
また、ねじ止めリブ１２にはカバーシャーシ４をねじ止めするねじＢｔが螺合される雌ねじ穴１５が形成されている。光ディスク装置Ａにおいて、ねじ止めリブ１２はＦ側に２個、Ｂ側に２個形成されているが、それに限定されるものではなく、カバーシャーシ４を確実に固定することができる個数及び場所のものを広く採用することができる。少なくとも、Ｆ側に２個以上、Ｂ側に１個以上備えられていることが好ましい。
【００２８】
昇降シャーシ２は平面視長方形状の部材であり、長手方向一方の端部（Ｂ側の端部）に取り付け孔２１が形成されている。この取り付け孔２１をメインシャーシ１に形成されているボス１０が貫通される。昇降シャーシ２の取り付け孔２１とボス１０との間は隙間が形成されている。ボス１０と取り付け孔２１との間にはフローティングゴム（ダンパー）１００が配置されている。
【００２９】
昇降シャーシ２は取り付け孔２１を中心に旋回し、昇降シャーシ２の長手方向他方の端部（Ｆ側の端部）が光ディスクに対して昇降する。昇降シャーシ２はＦ側の端部より突出したボス２２を備えており、ボス２２がメインシャーシ１に備えられているスライダ１６のカム溝（不図示）に摺動可能に挿入されている。
【００３０】
スライダ１６は光ディスクＤｓの移動方向と直交する方向に摺動可能にメインシャーシ１に取り付けられている。スライダ１６はＢ側／Ｆ側に摺動するプッシュロッド１７と、プッシュロッド１７に押されるディスクスライダ１８との移動と連動して摺動する部材である。スライダ１６が移動することでボス２２がカム溝に押され、昇降シャーシ２のＦ側が昇降する。
【００３１】
昇降シャーシ２にはディスク駆動部５が配置されている。ディスク駆動部５は駆動力が出力されるモータ５１と、モータ５１の出力軸に固定されたターンテーブル５２とを備えている。ディスク駆動部５は昇降シャーシ２のＦ側に取り付けられており、昇降シャーシ２の昇降にあわせて、光ディスクＤｓに対して接近離反する。すなわち、昇降シャーシ２が上昇するとき、ターンテーブル５２は光ディスクＤｓを押し上げ、光ディスクＤｓが回転するときに他の部材と接触するのを抑制する。また、昇降シャーシ２が下降するとき、ターンテーブル５２は光ディスクＤｓの搬送の邪魔にならない位置まで下方に移動する。
【００３２】
昇降シャーシ２には、光ディスクＤｓに情報の再生／記録のための光を照射させる光ピックアップ６も備えられている。光ピックアップ６は昇降シャーシ２に形成された配置孔２０に配置されており、ディスク駆動部５に対して接近／離反するように直線移動する。このように移動することで、光ピックアップ６から照射される光の光ディスクＤｓ上での照射部は光ディスクＤｓの径方向に移動する。
【００３３】
フラップ部３は、光ディスクＤｓを搬送ローラ１４と接触するように導くフラップ３１と、フラップ３１を回転可能に支持するフラップホルダ３２とを備えている。フラップ３１は、矩形の板状の部材であり、長辺の一方の近傍に長手方向に伸びる回転軸３１１が形成されている。回転軸３１１はフラップ３１の長手方向両端面より突出しており、フラップホルダ３２に回動自在に支持されている。フラップホルダ３２は、メインシャーシ１のリブ１１のＦ側の角部の両方の上部に配置されるものである。
【００３４】
カバーシャーシ４は金属板を折り曲げて形成された部材であり、カバーシャーシ４の四隅にはねじＢｔが貫通する貫通孔４０が形成され、メインシャーシ１の上部にねじＢｔにて固定される。カバーシャーシ４には、光ディスクＤｓが搬入されたとき光ディスクＤｓのＢ側の先端部で押されるディスクストッパ４１と、ディスクストッパ４１と連結され、カバーシャーシ４に回動自在に支持されたディスクアーム４２と、回動可能に支持されたクランパ４４とが備えられている。また、カバーシャーシ４には、ディスクストッパ４１が摺動するときのガイドとなるガイド孔４３と、ガイド孔４３を挟むように形成された凸条４５とが形成されている。ディスクストッパ４１は凸条４５と接触配置されている。
【００３５】
ディスクストッパ４１は光ディスクＤｓに押されることで、ガイド孔４３に沿ってＢ側に摺動する。このとき、ディスクアーム４２はディスクストッパ４１の動きに合わせて回動する。ディスクアーム４２の回動によって、プッシュロッド１７がＦ側に押され、さらに、プッシュロッド１７に押されるディスクスライダ１８がＦ側に押される。このディスクスライダ１８の移動によってスライダ１６が駆動され、スライダ１６の駆動によって昇降シャーシ２が昇降する。
【００３６】
なお、プッシュロッド１７は、Ｆ側の先端に設けられたディスク判別ボス１９が光ディスクＤｓの外周部に押されているとき、回動する。このとき、プッシュロッド１７はディスクアーム４２と係合しておらず、ディスクアーム４２が回動しても、プッシュロッド１７は移動しない。そして、光ディスクＤｓが所定の位置を越えると、ディスク判別ボス１９は光ディスクＤｓのＦ側に回り込み、プッシュロッド１７は元の位置にもどる。このとき、プッシュロッド１７はディスクアーム４２と係合され、ディスクアーム４２の回動と連動してＦ側に移動し、スライダ１６を摺動させ昇降シャーシ２を上昇させる。
【００３７】
搬送量の異なる（半径の異なる）光ディスクが搬入される場合でも、その光ディスクの中心が所定の位置に達したときに、昇降シャーシ２の昇降を開始させることができる。これにより、異なる半径の光ディスクが搬入される場合でも、ターンテーブル５２がその中心を正確に持ち上げることが可能となっている。
【００３８】
光ディスクＤｓはターンテーブル５２に持ち上げられたとき、ターンテーブル５２の反対側をクランパ４４で保持される。これにより、光ディスクＤｓはターンテーブル５２とクランパ４４に支持され、他の構成部材とは接触しない。この状態でモータ５１を駆動し、光ピックアップ６より光を照射して、光ディスクＤｓに情報を記録したり、光ディスクＤｓに記録されている情報を再生したりすることができる。
【００３９】
本発明にかかる光ディスク装置の要部であるカバーシャーシ及びディスクストッパについて図面を参照して詳細に説明する。図２は図１に示す光ディスク装置に用いられているカバーシャーシの底面図であり、図３は図２に示すカバーシャーシをIII−III線で切断した断面図である。
【００４０】
図２、図３に示すように、カバーシャーシ４は、ガイド孔４３と平行で、なおかつ、ガイド孔４３を挟むように形成された一対の凸条４５を備えている。凸条４５はカバーシャーシ４をメインシャーシ１と反対側からの押し出し成型（ハーフパンチ成型）することで形成される。凸条４５は上部に平面部４５１を備えており、一対の凸条４５のそれぞれに形成されている平面部４５１は平坦な１つの平面の一部をなすように形成されている。
【００４１】
ディスクストッパ４１の上部に形成された摺動ボス４１０がカバーシャーシ４に形成された摺動孔４３を貫通している。摺動ボス４１０の摺動孔４３より突出した部分には、摺動ボス４１０が摺動孔４３から抜けるのを抑制するための抜け止めリング４１１が取り付けられており、抜け止めリング４１１で抜け止めされることで、ディスクストッパ４１の上部の摺動面４１２が凸条４５の平面部４５１と接触している。ディスクストッパ４１は光ディスクＤｓの動きに合わせて、ガイド孔４３にガイドされて移動するものであり、摺動面４１２は停止中、移動中にかかわらず凸条４５の平面部４５１と接触している。
【００４２】
以上の構成とすることで、ディスクストッパ４１が常に凸条４５に接触支持されるので、ディスクストッパ４１が光ディスクＤｓに対して傾いてしまったり、ずれたりするのを抑制することが可能である。これにより、光ディスク装置Ａを立てて用いる場合であっても、光ディスクＤｓの搬入／搬出を円滑に行うことが可能である。
【００４３】
カバーシャーシ４はディスク搬送方向である長手方向に伸びる凸条４５が形成されていることで、長手方向に曲げる力に対する強度をあげることができる。これにより、カバーシャーシ４全体を薄肉化しても従来のものと同等の強度を得ることができ、それだけ、軽量化することができる。
【００４４】
なお、上記実施形態では、カバーシャーシに凸条を形成する方法として、押し出し成型を採用しているが、凸条を一定の精度で成型できる成型方法を広く採用することができる。また、金属板を折り曲げて作製されているカバーシャーシ４を例に説明しているが、それに限定されるものではなく、樹脂の一体成型で作製されるカバーシャーシにおいて、凸条を備えるようにしてもよい。樹脂の一体成型で作製されるカバーシャーシであっても、凸条を備えることで、強度を上げることができる。また、摺動面が凸状に形成された平面部であるので、従来のカバーシャーシに比べて摺動面を小さくすることができ、それだけ、摺動面を平坦にしやすい。
【００４５】
次に、本発明にかかる光ディスク装置に用いられるカバーシャーシの他の例について図面を参照して説明する。図４は本発明にかかる光ディスク装置に用いられるカバーシャーシの他の例を図３と同じ線で切断した断面図である。図４に示すカバーシャーシ４ｂは凸条４５ｂが異なる以外は、カバーシャーシ４と同じ構成を有するものであり、実質上同じ部分には同じ符号が付してある。また、実質上同じ部分の詳細な説明は省略する。
【００４６】
図４に示すように、カバーシャーシ４ｂの平面部には、ガイド溝４３と平行且つガイド溝４３を挟んで形成された一対の凸条４５ｂが形成されている。一対の凸条４５ｂはカバーシャーシ４ｂの平板部より張り出した半円筒形状を有しており、凸条４５ｂのそれぞれは同じ突出量（カバーシャーシ４ｂの平面部から最も離れた部分までの高さが同じ）である。
【００４７】
図４に示すカバーシャーシ４ｂを用いると、凸条４５ｂとディスクストッパ４１の摺動面４１２との接触部が面ではなく、線となるので摩擦力を低減することが可能である。また、一対の凸条４５ｂのディスクストッパ４１が摺動する部分を小さくすることで、摺動部分のディスクストッパ４１との隙間の調整が容易であり、それだけ、製造にかかる手間とコストを削減することができる。
【００４８】
なお、本実施形態において、半円筒形状の凸条４５ｂを例に説明しているがそれに限定するものではなく、適当な中心角度を有する扇状の断面形状を有するもの、三角形断面のもの、断面形状が楕円を切断した形状のもの等摺動部分が線状或いは略線状であるものを広く採用することが可能である。
【００４９】
本発明にかかる光ディスクに用いられるカバーシャーシのさらに他の例について図面を参照して説明する。図５は本発明にかかる光ディスク装置に用いられるカバーシャーシの底面図であり、図６は図５に示すカバーシャーシをVI−VI線で切断した断面図である。図
５、６に示すカバーシャーシ４ｃは、凸条４５ｃが異なる以外は、図２等に示すカバーシャーシ４と同じ構成を有するものであり、実質上同じ部分には同じ符号が付してある。また、実質上同じ部分の詳細な説明は省略する。
【００５０】
図５、図６に示すように、凸条４５ｃはＦ側及びＢ側に形成された端部４５２ｃと、端部４５２ｃに挟まれた中間部４５３ｃとを備えている。端部４５２ｃは中間部４５３ｃよりも、突出量が多い。なお、中間部４５３ｃの突出量は平面部４５１ｃとディスクストッパ４１の摺動面４１２とが接触する大きさであり、端部４５２ｃの突出量は平面部４５１ｃがディスクストッパ４１の摺動面４１２に押圧される大きさである。凸条４５ｃの平面部４５１ｃは端部４５２ｃに配置される部分と中間部４５３ｃに配置される部分とが滑らかに接続されるように形成されている。
【００５１】
ディスクストッパ４１は凸条４５ｃの平面部４５１ｃと接触した状態で移動するので、ディスクストッパ４１の摺動面４１２が平面部４５１ｃから受ける力が異なる。すなわち、ディスクストッパ４１の摺動面４１２は平面部からの突出量が大きい端部４５２ｃに配置されているときに、突出量が小さい中間部４５３ｃに配置されているときに比べて平面部４５１ｃから大きな力で押されており、大きな摩擦力が作用する。
【００５２】
光ディスクＤｓが搬入されていない状態（ディスクストッパ４１はＦ側で待機している状態）のとき、ディスクストッパ４１は平板部４５１ｃから大きな摩擦力を受けており、ぐらついたり、傾いたり等を抑制することが可能である。これにより、ディスクストッパ４１が光ディスクＤｓに押されるときのがたや傾きによって、光ディスク装置Ａの動作が不安定になるのを抑制することが可能である。
【００５３】
同様に、光ディスクＤｓが駆動されている状態（ディスクストッパ４１はＢ側で待機している状態）のときも、ディスクストッパ４１は平板部４５１ｃから大きな摩擦力を受けており、ぐらついたり、傾いたり等の移動が抑えられる。このことによると、光ディスクＤｓの駆動中にディスクストッパ４１が光ディスクＤｓと接触する不具合の発生を抑制することができる。また、ディスクストッパ４１がぐらついたり、傾いたり等しにくいので、光ディスクＤｓの搬出準備が整う前に光ディスクＤｓがディスクストッパ４１と接触したり、ディスクストッパ４１に押されたりして、光ディスクＤｓが傷ついたり、破損したりする不具合を抑制することができる。
【００５４】
そして、光ディスク装置Ａが光ディスクＤｓの搬入／搬出動作を行っている場合、ディスクストッパ４１は平面部４５１ｃの中間部４５３ｃを摺動するので、小さな摩擦力で摺動することが可能である。これにより、光ディスクＤｓの搬入／搬出時の、ディスクストッパ４１と凸条４５ｃとの摩擦抵抗による駆動力のロスを低減することができる。
【００５５】
上記実施形態において、ディスクストッパ４１の摺動面４１２と平板部４５１ｃの中間部４５３ｃに形成されている部分とが接触する凸条４５ｃを例に説明しているが、それに限定されるものではなく、ディスクストッパ４１が中間部４５３ｃにあるとき、摺動面４１２と平板部４５１ｃとにわずかに隙間が形成されており、端部４５２ｃにあるとき、摺動面４１２が平板部４５１ｃと接触し、摺動面４１２に摩擦力が作用するように形成されているものであってもよい。
【００５６】
上記実施形態において、凸条４５ｃのＦ側及びＢ側の両端部の突出量が、中間部に対して大きくなるように形成されているが、それに限定されるものではなく、どちらか一方の端部のみ、或いは、中間部のみ突出量が大きくなるようにしてもよい。凸条の突出量が他の部分よりも大きくなる部分として、ディスクストッパ４１が移動するときに、所定の摩擦力を作用させたい部分を広く採用することができる。
【００５７】
また、上記実施形態において、平面部４５１ｃを有する凸条４５ｃを備えたカバーシャーシ４ｃを例に説明しているが、それに限定されるものではなく、凸条４５ｂに示すような、接触部の形状が線状となる凸条を有し、突出量が端部と中間部で異なるものとしてもよい。
【００５８】
上記実施形態の説明は、本発明を説明するためのものであって、特許請求の範囲に記載の発明を限定し、或は範囲を減縮する様に解すべきではない。本発明の各部構成は上記実施形態に限らず、特許請求の範囲に記載の技術的範囲内で種々の変形が可能であることは勿論である。
【産業上の利用可能性】
【００５９】
本発明は、光ディスクに情報を記録または光ディスクから情報を再生する光ディスク装置に利用することができる。
【符号の説明】
【００６０】
Ａ  光ディスク装置
１  メインシャーシ
１０  ボス
１００  フローティングゴム
１１  リブ
１２  ねじ止めリブ
１３  開口部
１４  搬送ローラ
１５  ねじ穴
１６  スライダ
１７  プッシュロッド
１８  ディスクスライダ
１９  ディスク判別ボス
２  昇降シャーシ
２０  配置孔
２１  取り付け孔
３  フラップ部
３１  フラップ
３１１  回転軸
３２  フラップホルダ
４  カバーシャーシ
４０  貫通孔
４１  ディスクストッパ
４１１  抜け止めリング
４１２  摺動面
４２  ディスクアーム
４３  ガイド孔
４４  クランパ
４５  凸条
４５１  平面部
５  ディスク駆動部
５１  モータ
５２  ターンテーブル
Ｄｓ  光ディスク
【図１】
2010225217.tif 000003
【図２】
2010225217.tif 000004
【図３】
2010225217.tif 000005
【図４】
2010225217.tif 000006
【図５】
2010225217.tif 000007
【図６】
2010225217.tif 000008
【図７】
2010225217.tif 000009
【図８】
2010225217.tif 000010